(57)【特許請求の範囲】
【請求項１】
少なくとも一対の針床と、針床の針に糸を供給しかつ針床の上部を針床に平行に移動するキャリアとを備えた横編機用の編成データに対して、該編成データでの編成結果をシミュレーションするための装置において、
複数のキャリアから別々に糸を供給して別々の編目を形成する編地のエリアにおいて、前記複数のキャリア中の第１のキャリアからの第１の糸により、一方の針床の針で新たな編目を形成する際に、前記複数のキャリア中の他のキャリアからの他の糸を巻き込むか否かを判別するために、
前記第１のキャリアと前記他のキャリアとの、前記一方の針床から見た手前／奧の関係を求めるための、識別手段と、
求めた手前／奧の関係及び前記編地エリアにおける編成順序に基づき、前記他の糸を巻き込むか否かを判別するための、判別手段、とを設けたことを特徴とする、ニットシミュレーション装置。
【請求項２】
前記判別手段は、
前記新たな編目の１つ前の、前記第１の糸で形成された編目の位置で、前記１つ前の編目が形成された後に前記他の糸はミスされており、
前記一方の針床から見て、前記ミスされた糸が前記１つ前の編目よりも奧にあり、
かつ前記一方の針床から見て、前記識別手段で求めたキャリアの位置関係で第１のキャリアが他のキャリアよりも奧に有る際に、
前記他の糸を巻き込むものと判別するようにしたことを特徴とする、請求項１のニットシミュレーション装置。
【請求項３】
前記判別手段は、前記新たな編目が、前記第１のキャリアからの第１の糸に関する、新たな編成コースの最初の編目である際に、糸の巻き込みの有無を判別するようにしたことを特徴とする、請求項２のニットシミュレーション装置。
【請求項４】
前記シミュレーションで得られた編地の画像を表示するためのカラーモニタと、
糸の巻き込みの有無をユーザが識別し得るように、該カラーモニタ上にマークして、もしくは前記１つ前の編目の位置のミスの糸と独立して移動自在に、表示するための確認手段とを設けたことを特徴とする、請求項２のニットシミュレーション装置。
【請求項５】
少なくとも一対の針床と、針床の針に糸を供給しかつ針床の上部を針床に平行に移動するキャリアとを備えた横編機用の編成データに対して、該編成データでの編成結果をシミュレーションするための方法において、
複数のキャリアから別々に糸を供給して別々の編目を形成する編地のエリアにおいて、前記複数のキャリア中の第１のキャリアからの第１の糸により、一方の針床の針で新たな編目を形成する際に、前記複数のキャリア中の他のキャリアからの他の糸を巻き込むか否かを判別するために、
前記第１のキャリアと前記他のキャリアとの、前記一方の針床から見た手前／奧の関係を求める識別ステップと、
求めた手前／奧の関係及び前記編地エリアにおける編成順序に基づき、前記他の糸を巻き込むか否かを判別する判別ステップ、とを設けたことを特徴とする、ニットシミュレーション方法。
【請求項６】
前記判別ステップでは、
前記新たな編目の１つ前の、前記第１の糸で形成された編目の位置で、前記１つ前の編目が形成された後に前記他の糸はミスされており、
前記一方の針床から見て、前記ミスされた糸が前記１つ前の編目よりも奧にあり、
かつ前記一方の針床から見て、前記識別ステップで求めたキャリアの位置関係で第１のキャリアが他のキャリアよりも奧に有る際に、
前記他の糸を巻き込むものと判別するようにしたことを特徴とする、請求項５のニットシミュレーション方法。
【請求項７】
前記判別ステップでは、前記新たな編目が、前記第１のキャリアからの第１の糸に関する、新たな編成コースの最初の編目である際に、糸の巻き込みの有無を判別するようにしたことを特徴とする、請求項６のニットシミュレーション方法。
【請求項８】
前記シミュレーションで得られた編地の画像を表示するためのカラーモニタを設けると共に、
糸の巻き込みの有無をユーザが識別し得るように、該カラーモニタ上にマークして、もしくは前記１つ前の編目の位置のミスの糸と独立して移動自在に、表示するための確認ステップを設けたことを特徴とする、請求項６のニットシミュレーション方法。
【請求項９】
少なくとも一対の針床と、針床の針に糸を供給しかつ針床の上部を針床に平行に移動するキャリアとを備えた横編機用の編成データに対して、該編成データでの編成結果をシミュレーションするニットシミュレーション装置のためのプログラムにおいて、
複数のキャリアから別々に糸を供給して別々の編目を形成する編地のエリアにおいて、前記複数のキャリア中の第１のキャリアからの第１の糸により、一方の針床の針で新たな編目を形成する際に、前記複数のキャリア中の他のキャリアからの他の糸を巻き込むか否かを判別するために、
前記ニットシミュレーション装置に、前記第１のキャリアと前記他のキャリアとの、前記一方の針床から見た手前／奧の関係を求めるための識別ステップと、求めた手前／奧の関係及び前記編地エリアにおける編成順序に基づき、前記他の糸を巻き込むか否かを判別するための判別ステップとを実行させるための、ニットシミュレーションプログラム。
【請求項１０】
前記判別ステップでは、
前記新たな編目の１つ前の、前記第１の糸で形成された編目の位置で、前記１つ前の編目が形成された後に前記他の糸はミスされており、
前記一方の針床から見て、前記ミスされた糸が前記１つ前の編目よりも奧にあり、
かつ前記一方の針床から見て、前記識別ステップで求めたキャリアの位置関係で第１のキャリアが他のキャリアよりも奧に有る際に、
前記他の糸を巻き込むものと判別するようにしたことを特徴とする、請求項９のニットシミュレーションプログラム。
【請求項１１】
前記判別ステップでは、前記新たな編目が、前記第１のキャリアからの第１の糸に関する、新たな編成コースの最初の編目である際に、糸の巻き込みの有無を判別するようにしたことを特徴とする、請求項１０のニットシミュレーションプログラム。
【発明の詳細な説明】
【技術分野】
【０００１】
この発明はニットシミュレーションに関し、特に糸の巻き込みの有無をシミュレーションして表示することに関する。
【背景技術】
【０００２】
出願人は、編地の編成データを編地の画像に変換して、カラーモニタやカラープリンタに表示することを提案した（特許文献１）。ところで複数の糸を用いる編地では、一方の糸が他方の糸を巻き込む場合（図９）と巻き込まない場合（図１０）とがある。糸が巻き込まれている場合、編地の２つの部分は連結されている。これに対して糸が巻き込まれていない場合、２つの部分の連結は弱く、例えば図１０では中央の部分は左右の部分から独立しており、持ち上げたり左右に移動させたりすることができる。しかしながら、出願人の知る範囲で、従来のニットデザイン装置は、糸の巻き込みをシミュレーションするようにはなっていない。
【特許文献１】特許２６３１９４６号
【発明の開示】
【発明が解決しようとする課題】
【０００３】
この発明の課題は、糸の巻き込みの有無をシミュレーションで確認できるようにすることにある（請求項１〜１１）。
この発明での追加の課題は、糸の巻き込みの有無を判別するための具体的な手法を提供することにある。  
この発明での追加の課題は、糸の巻き込みの有無を判別するための最適な手法を提供することにある。
この発明での追加の課題は、ユーザが糸の巻き込みの有無を視覚的に容易に区別できるようにすることにある。
【課題を解決するための手段】
【０００４】
この発明のニットシミュレーション装置は、少なくとも一対の針床と、針床の針に糸を供給しかつ針床の上部を針床に平行に移動するキャリアとを備えた横編機用の編成データに対して、該編成データでの編成結果をシミュレーションするための装置において、
複数のキャリアから別々に糸を供給して別々の編目を形成する編地のエリアにおいて、前記複数のキャリア中の第１のキャリアからの第１の糸により、一方の針床の針で新たな編目を形成する際に、前記複数のキャリア中の他のキャリアからの他の糸を巻き込むか否かを判別するために、
前記第１のキャリアと前記他のキャリアとの、前記一方の針床から見た手前／奧の関係を求めるための、識別手段と、
求めた手前／奧の関係及び前記編地エリアにおける編成順序に基づき、前記他の糸を巻き込むか否かを判別するための、判別手段、とを設けたことを特徴とする。【０００５】
この発明のニットシミュレーション方法は、少なくとも一対の針床と、針床の針に糸を供給しかつ針床の上部を針床に平行に移動するキャリアとを備えた横編機用の編成データに対して、該編成データでの編成結果をシミュレーションするための方法において、
複数のキャリアから別々に糸を供給して別々の編目を形成する編地のエリアにおいて、前記複数のキャリア中の第１のキャリアからの第１の糸により、一方の針床の針で新たな編目を形成する際に、前記複数のキャリア中の他のキャリアからの他の糸を巻き込むか否かを判別するために、
前記第１のキャリアと前記他のキャリアとの、前記一方の針床から見た手前／奧の関係を求める識別ステップと、
求めた手前／奧の関係及び前記編地エリアにおける編成順序に基づき、前記他の糸を巻き込むか否かを判別する判別ステップ、とを設けたことを特徴とする。【０００６】
この発明のニットシミュレーションプログラムは、少なくとも一対の針床と、針床の針に糸を供給しかつ針床の上部を針床に平行に移動するキャリアとを備えた横編機用の編成データに対して、該編成データでの編成結果をシミュレーションするためのプログラムにおいて、
複数のキャリアから別々に糸を供給して別々の編目を形成する編地のエリアにおいて、前記複数のキャリア中の第１のキャリアからの第１の糸により、一方の針床の針で新たな編目を形成する際に、前記複数のキャリア中の他のキャリアからの他の糸を巻き込むか否かを判別するために、
ニットシミュレーション装置に、前記第１のキャリアと前記他のキャリアとの、前記一方の針床から見た手前／奧の関係を求めるための識別ステップと、求めた手前／奧の関係及び前記編地エリアにおける編成順序に基づき、前記他の糸を巻き込むか否かを判別するための判別ステップとを実行させる。
【０００７】
好ましくは、前記判別では、前記新たな編目の１つ前の、前記第１の糸で形成された編目の位置で、前記１つ前の編目が形成された後に前記他の糸はミスされており、前記一方の針床から見て、前記ミスされた糸が前記１つ前の編目よりも奧にあり、かつ前記一方の針床から見て、キャリアの位置関係で第１のキャリアが他のキャリアよりも奧に有る際に、前記他の糸を巻き込むものと判別する。【０００８】
より好ましくは、前記判別では、前記新たな編目が、前記第１のキャリアからの第１の糸に関する、新たな編成コースの最初の編目である際に、糸の巻き込みの有無を判別する。【０００９】
特に好ましくは、前記シミュレーションで得られた編地の画像を表示するためのカラーモニタを設けて、糸の巻き込みの有無をユーザが識別し得るように、該カラーモニタ上にマークして、もしくは前記１つ前の編目の位置のミスの糸と独立して移動自在に、表示する。【００１０】
この明細書において、ニットシミュレーション装置に関する記載は、特に断らない限り、ニットシミュレーション方法やニットシミュレーションプログラムにも当てはまる。同様にニットシミュレーション方法に関する記載は、特に断らない限り、ニットシミュレーション装置やニットシミュレーションプログラムにも当てはまる。
【発明の効果】
【００１１】
この発明では、新たな編目を形成するために用いるキャリアと、同じエリアで給糸する他のキャリアとの、少なくとも手前か奧かの関係を用いて、糸の巻き込みの有無を判別する。キャリアが手前か奧かは糸の巻き込みの有無を判別するための基本的な条件で、これ以外に編成の種類により他の条件が加わる。巻き込みが無い場合、複数のキャリアからの糸は互いに独立しており、編地はその部分で連結されていない。これに対して巻き込みがあると、複数のキャリアからの糸は互いに結合されて、編地は連結されている。そこでこの発明では、糸の巻き込みの有無をシミュレーションし、複数のキャリアを用いるエリアでも、糸間の連結の有無を判別できるようにする。【００１２】
インターシャジャカードやジャカードでは、複数のキャリアから平行に糸を供給し、一方の糸をニットし、他方の糸をミスすることにより、パターンを形成する。この場合、新たな編目の１コース下やその１目〜数目分左右の位置が問題で、新たな編目と同じ糸がその位置でニットされ、他の糸がその位置でミスされている場合に、巻き込みが生じ得る。巻き込みが生じるには他に、
1)  新たな編目と同じ糸による１つ前の編目が形成された後に、他の糸がその位置でミスされており、しかもミスされた糸がニットされた編目よりも奧にあり、
2)  かつ新たな編目を形成するためのキャリアがミスされた糸のキャリアよりも奧にある、ことが必要である。またここで手前／奧の関係は、編目を形成する針のある針床から、反対側の針床を見る方向に沿って定める。このようにすると、インターシャジャカードやジャカードのパターンで、パターンの左右の境界が連結されているかどうかを、シミュレーションできる。【００１３】
なお巻き込みは、例えば新たな編目が、前記第１のキャリアからの第１の糸に関する、新たな編成コースの最初の編目である際に生じるので、他の編目に対しては巻き込みの有無の判断を省略しても良い。【００１４】
巻き込みの有無は、文字や記号などで出力しても良いが、カラーモニタにシミュレーション画像を表示し、巻き込みの有無で関係する部分の明度、彩度、色相等のカラーデータを変えて、あるいは関係する部分にネット状のマークなどを付して表示すると分かり易い。また関係する部分を、ユーザがカラーモニタ上でマウスやスタイラスなどで指定できるようにし、この部分を指定して移動させると、巻き込みのある場合と無い場合とで、連動して動く部分が異なるようにしても良い。このようにすると、巻き込みの有無をユーザは視覚的にかつ容易に確認できる。
【図面の簡単な説明】
【００１５】
【図１】実施例のニットシミュレーション装置のブロック図
【図２】実施例のニットシミュレーションプログラムのブロック図
【図３】実施例での、キャリアの手前／奧の定義を模式的に示す図
【図４】実施例のニットシミュレーション方法を示すフローチャート
【図５】インターシャジャカードで、ミスステッチを巻き込む例を示す図
【図６】インターシャジャカードで、ミスステッチを巻き込まない例を示す図
【図７】１つ前の編目が新たな編目の１コース下の右側にある例を示す図
【図８】１つ前の編目が新たな編目の１コース下の左側にある例を示す図
【図９】インターシャジャカードで、ミスステッチを巻き込む編地を模式的に示す図
【図１０】インターシャジャカードで、ミスステッチを巻き込まない編地を模式的に示す図
【図１１】ジャカードでミスの糸を巻き込んでいる例を示す図
【図１２】２色ジャカードで、巻き込みの有無により編地構造が変化する例を模式的に示す図
【図１３】筒状編地の端部での糸の巻き込みを説明する図
【符号の説明】
【００１６】
２    ニットシミュレーション装置      ４    バス
５    カラーモニタ      ６    キーボード      ７    スタイラス
８    ディスクドライブ      ９    ＬＡＮインターフェース
１０    メモリ      １１    カラープリンタ      １５    ニットデザイン部
１６    編成データ記憶部      ２０    キャリア割り付け部
２１    属性付与部      ２２    巻き込み検出部      ２３    巻き込み表示部
３０    ニットシミュレーションプログラム
３１    ニットシミュレーション命令      ３２    キャリア位置識別命令
３３    巻き込み判別命令      ３４    巻き込み表示命令
３５    カラー識別命令      ３６    操作／変形命令      ４０    横編機
４２    前針床      ４３    後針床      ４４    キャリアレール
４５，４６    キャリア      ４８    針      ５０    編地
５２    ステッチ      ５３    ミスステッチ      ５４    １つ前の編目
５５    編目      ５６    巻き込み部      ６０，６１  糸
６２，６３    編目      ６４    ミスステッチ      ６５    編目
６６    巻き込み部      ７０，７２    ジャカードコース      
７３，７４    コース      ８０    端部エリア      
８１    前ベッドで形成された編目列      ８２    後ベッドで形成された編目列
８３    １つ前の編目      Ｆ    手前のキャリア      Ｂ    奧のキャリア
Ｎ    ニードルループ      Ｓ    シンカーループ
【発明を実施するための最良の形態】
【００１７】
以下に本発明を実施するための最適実施例を示す。
【実施例】
【００１８】
図１〜図１３に、実施例を示す。これらの図において、２はニットシミュレーション装置で、４はバス、５はカラーモニタで、７はスタイラスであり、カラーモニタ５上の座標を指定し、スタイラス７に代えて、マウスやトラックボール、ジョイスティックなどを用いても良い。８はディスクドライブで、９はＬＡＮインターフェースであり、ニットシミュレーションプログラムや、パターンデータ、編成データなどの入出力などを行う。１０はメモリで、ニットシミュレーションプログラムなどを記憶し、また作業中の種々のデータやシミュレーション画像などを記憶する。１１はカラープリンタで、モニタ５と同様にニットシミュレーション画像を出力する。【００１９】
ニットデザイン部１５は、キーボード６やスタイラス７などからの入力により、ニットのデザインデータを作成し、これを横編機での編成データに変換する。編成データ記憶部１６は作成された編成データを記憶する。糸の巻き込みの有無を判別するため、キャリア識別部２０を設け、編成データを実行するために必要なキャリアに対して、キャリア番号を指定する。従来のニットシミュレーション装置のように、キャリア番号を指定せずに、またキャリア間の手前／奧の関係を指定せずに、シミュレーションすることを認めると、糸の巻き込みの有無は判別できない。ここで、編成データ中で既にキャリア番号が指定されている場合、その番号をそのまま用いる。キャリア番号が指定されていない場合、カラーモニタ５などを介してキャリア番号の指定をユーザに要求し、キーボード６などから指定された値をキャリア番号とする。【００２０】
属性付与部２１は編成データ中の各編目（ステッチ）に対して、編目の属性を指定し、属性には例えば表目か裏目か、ニットかタックかミスかなどの編目の種類と、自己の編目の番号及び左右の編目の番号、並びに処理順の番号がある。編目の番号は例えば編目が形成される順に付与し、処理順の番号は編目を形成したり目移ししたりする毎にカウントする番号で、目移しがなければ編目番号と同じ順序になる。目移しがあれば、先に形成されて後で目移しされた編目は、途中で形成された編目よりも大きな処理順の番号が割り当てられる。またミスの糸も形式的に編目と見なしてミスステッチと呼び、属性を指定する。同じ位置にニットの編目とミスの糸とが重なる場合、いずれが編成に用いている針床に近いかは、編目の属性から判別できる。【００２１】
１つのキャリアに関して、新しいコースの最初の編目には、１つ前の編目を属性として追加する。この編目は同じ糸で同じキャリアにより形成され、編地の上下に関して１コース前の位置にあり、例えば新コースの最初の編目の直下あるいはその左右の位置にある。【００２２】
巻き込み検出部２２は複数のキャリア間の手前／奥の関係と、編成データとを用いて、巻き込みの有無を検出する。巻き込み表示部２３は、カラーモニタ５やカラープリンタ１１の画像に対して、巻き込みがある場合と無い場合とで、例えばカラーデータを変更する。あるいはまた、カラーモニタ５の画像に対して、ユーザであるデザイナが、巻き込みの有無を確認したい部分をスタイラス７などで指定し、画面上で移動を指示することを認める。これに対して巻き込みで接続された部分が、巻き込みがある場合には指定された部分と同時に移動し、巻き込みがない場合には移動しないように、カラーモニタの表示画像を発生させる。カラーデータ以外の表示で、巻き込みの有無をマークアップしても良い。また画面上での移動では、巻き込みの有無で画面上の編地の変形が異なるようにすればよい。【００２３】
図２のニットシミュレーションプログラム３０では、ニットシミュレーション命令３１で通常のニットシミュレーションを行い、編成データをその編成データに従って編成された編地の画像に変換する。このシミュレーション画像では、個々のループが糸筋などで表現されるようにする。なおニットシミュレーション命令３１自体は、通常のニットシミュレーション装置に備わっている命令である。キャリア位置識別命令３２では、編成データを実行するのに必要なキャリアに対して、編成データに従いキャリア番号を割り付け、編成データで指定されていない場合には、ユーザに指定を求める。なおユーザにキャリア番号の指定を求める代わりに、巻き込み有り／無しなどの条件をユーザに提示し、それに対する回答に従って、キャリア番号を割り付けても良い。【００２４】
巻き込み判別命令３３では、キャリアの手前／奥の位置関係と編成順序、及び編成データから求めた編目の属性とを用いて、巻き込みの有無を判別する。巻き込み表示命令３４では、巻き込みの有無をカラーモニタやプリンタなどで表示する。例えば巻き込みの有無によりその部分のカラーデータを変更するため、カラー識別命令３５を設ける。また巻き込みの有無が問題となる部分をユーザが指定して操作した場合に、巻き込みの有無により変形の程度を変えるため、操作／変形命令３６を設ける。【００２５】
図３に、横編機４０でのキャリア４５，４６等の手前と奥の関係を示す。４２は前針床、４３は後針床で、これらの上部にも針床やトランスファーベッドなどを設けても良い。４４はキャリアレールで、各レールの例えば左右に沿ってキャリア４５，４６等が走行し、その下端の給糸口から針床４２，４３の針に給糸する。４８は針床の針で、編成中の編地を５０で示す。前針床の針４８で編目を形成する場合、前針床４２から後針床４３を見る方向に沿って、ヤーンキャリア４５，４６等の手前と奥とを定義する。逆に後針床４３の針で編目を形成する場合、後針床４３から前針床４２を見る方向に沿って、手前／奥を定義する。横編機４０にはこれ以外に図示しない制御部とキャリッジがあり、制御部で編成データを解釈してキャリッジを動作させ、キャリッジはキャリア４５，４６を連行すると共に針４８等を制御する。【００２６】
図４に、インターシャジャカードやジャカードの場合の、糸の巻き込みの有無の判別方法を示す。糸の巻き込みは、個別のキャリアについてのコースの最初の編目で生じるので、１つのコースでの編成開始ステッチかどうかを判別する。これがYESの場合、編成するステッチの１つ前の位置の編目がミスの対象ステッチかどうかをチェックする。言い換えると、編成する編目と同じ糸と同じキャリアで１つ前に形成された編目と重ねて、ミスの糸が存在するかどうかをチェックする。次にこれもYESの場合、ミスステッチはミス下かどうかを判別する。なおミスステッチはミスの糸を形式的に編目と見なして呼ぶ言い方である。またミス下は、新たな編目を編成する針が存在する針床から、反対側の針床を見た際に、１つ前の編目よりもミスステッチが奥にある場合である。【００２７】
ミスステッチがミス下であれば、１つ前の編目の後でミスステッチが形成されたか確認する。１つ前の編目が形成された後でミスステッチが形成されていれば巻き込みが有り得るが、先にミスステッチが形成された後で１つ前の編目が形成されていると、巻き込みは生じない。ミスステッチが先に形成されている場合、ミスの糸の下側を後で形成した１つ前の編目の渡り糸が潜ることはない。逆に、１つ前の編目が先に形成されていると、ミスの糸が１つ前の編目の渡り糸の上を交差するように通過することがあり、この時に巻き込みが生じる。そしてミスの糸が１つ前の編目の渡り糸の上部を交差するように通過するのは、１つ前の編目が手前でミスの糸が奧にあり、しかも１つ前の編目の糸のキャリアが奧で、ミスの糸のキャリアが手前の場合である。そこで新たな編目を編成する糸のキャリアは、ミスステッチのキャリアより、手前にあるか奥にあるかを識別し、奥にあればミスステッチに糸の巻き込み属性を付加する。【００２８】
図５，図６に、巻き込みの有無を模式的に示す。ステッチ５２に続いて同じキャリアでステッチ５５を編成するとする。ステッチ５５が編成する編目で、５３はミスステッチである。また５２が編目５５の１つ前の編目である。図５，図６のＦ，Ｂはキャリアが手前か奥かを示し、Ｆは手前のキャリアをＢは奥のキャリアを示す。またＮはニードルループ、Ｓはシンカーループを示し、さらに５２〜５５の符号は編目属性での編目番号を途中を間引いて表している。【００２９】
図５ではステッチ５２をキャリアＢで編成した後、ミスステッチ５３や編目５４をキャリアＦで編成する。編目５４はこのコースで編成する最後の編目で、キャリッジは一旦ここで停止する。次にキャリアＢを用いて編目５５を編成する。ここで巻き込みの有無を判別する。図６ではステッチ５２をキャリアＦで編成した後、ミスステッチ５３や編目５４をキャリアＢで編成する。次にキャリアＦを用いて編目５５を編成する。ここで巻き込みの有無を判別する。【００３０】
図５の場合、ミスステッチ５３は、ステッチ５２よりも編成を行う針床から見て、奥の側にあり、ミス下に相当する。そして編成する編目５５の１つ前の位置にはステッチ５２があり、これはミスステッチ５３から見てミスの対象ステッチである。この場合、図５のように、編目５５をミスステッチ５３よりも奥のキャリアＢで編成する場合、シンカーループに巻き込みが生じ、巻き込み部を５６で示す。編目５５を編成するために用いるキャリアＦが、ミスステッチ５３に用いたキャリアＢよりも手前にある場合（図６）、糸の巻き込みは生じない。【００３１】
１つ前の編目は新たな編目の直下の編目のみが問題となるとは限らない。１つ前の編目が新たな編目の左右にあり、しかも巻き込みが生じる例を図７，図８に示す。図において、５５は新たな編目、５２'，５２''は１つ前の編目で、５３'，５３''はミスステッチで、５６'，５６''は巻き込み部である。【００３２】
図９は糸の巻き込みがある場合のカラーモニタなどへの表示例を、図１０は糸の巻き込みが無い場合の表示例を示す。これらは１目幅のインターシャジャカードのパターンで、図は編地を裏側から見て示し、中央の天竺ループは縦１列につながるように編成されている。図９のように巻き込みがある場合、縦につながる天竺ループの下から上に行く部分にできるループの間をミスの糸が通り、これによって縦につながった天竺ループは周囲の編地本体に編み込まれ、しっかりした組織となる。これに対し図１０のように、糸の巻き込みが無い場合、ミスの糸は天竺ループの後を通り、縦１列につながる天竺ループは上下両端でのみ周囲の編地と接続され、この部分がブリッジ状に浮いている。図１０のようなデザインも、編地のバリエーションとして存在する。【００３３】
糸の巻き込みの有無は、巻き込みがある場合と無い場合とで、カラーデータを変えて表示する。あるいは、スタイラスなどでその部分を指定して移動させると、巻き込みがある場合、周囲の編地も共に移動し、巻き込みがない場合、その部分のみが周囲と独立して移動するように表示する。【００３４】
以上の例では、インターシャジャカードを例としたが、これは２色ジャカードなどの一般のジャカードでも同様である。このような例を図１１，図１２に示すと、６０，６１は糸で、編目６２を形成した後に編目６３を形成し、６４は編目６２と重なるミスステッチである。ここで糸６０を用いて編目６２の上部に編目６５を編成する。この場合、編目６５は糸６０を供給するキャリアに関して、そのコースでの最初の編目であり、この場合は１つ前の編目６２はミスの対象ステッチで、ミスステッチ６４は編目６２よりも奥側にある。そこで図４のフローチャートと同様に、編目６５を形成するキャリアＢが、ミスステッチ６４に用いたキャリアＦよりも奥側にあれば巻き込み部６６が形成され、この場合ミスステッチ６４に糸の巻き込み属性を追加する。編目６５の形成に用いるキャリアが、ミスステッチ６４に用いたキャリアよりも手前にあれば、糸の巻き込みは生じない。【００３５】
図１２に筒状の２色ジャカードの編地の例を示すと、７０，７２はジャカードコースで、編み端において糸の巻き込みがあれば図１２のコース７３のように続き、巻き込みがなければ７４で示すようにコースが続くことになる。コース７４を含むような編地は内径が小さくなり着にくく、巻き込みの有無で編地の性質が異なる。【００３６】
図１３に筒状編地の端部のエリア８０での糸の巻き込みの発生を示す。８１は前ベッド形成された編目列、８２は後ベッド形成された編目列で、奧側のキャリアＢを用いて１つ前の編目８３の次の新たな編目を形成する。キャリアＢはキャリアＦよりも奧にあり、編目８３の編成後に編目８４が編成されているので、１つ前の編目８３の次の編目を編成すると、糸の巻き込みが生じる。一方ここで編目８４の次の編目をキャリアＦで編成しても、編目８４が編目８３よりも後で編成されているので、巻き込みは生じない。【００３７】
実施例では以上のように巻き込みの有無を判別し、これをユーザに表示でき、ユーザはこの表示から意図通りのデザインかを確認できる。巻き込みの有無により編地の性質は大きく異なるので、この発明は重要である。例えば周囲の編地から浮いているパターンをデザインしたのか、周囲の編地にコースの端部で固定されている編地をデザインしたのか、デザイナはモニタ上で確認できる。
【図１】
0004944023.tif 000002
【図２】
0004944023.tif 000003
【図３】
0004944023.tif 000004
【図４】
0004944023.tif 000005
【図５】
0004944023.tif 000006
【図６】
0004944023.tif 000007
【図７】
0004944023.tif 000008
【図８】
0004944023.tif 000009
【図９】
0004944023.tif 000010
【図１０】
0004944023.tif 000011
【図１１】
0004944023.tif 000012
【図１２】
0004944023.tif 000013
【図１３】
0004944023.tif 000014